(57)【要約】      （修正有）【課題】フレキシブル回路板をしっかりと固定できるコネクタを提供する。【解決手段】コネクタは、殼体２１、フレキシブル回路板３、端子４、加圧部材５を含む。そのうち、前記フレキシブル回路板は前記コネクタに電気的に接続され、前記フレキシブル回路板の両側に凹嵌部３１がそれぞれ形成される。前記端子は相互に同じ方向に延伸され、かつ並べて設置された可動アーム４１と固定アーム４２を備え、前記可動アームは一端に押圧部４１１を備え、他端に被圧部４１２を備えており、前記固定アームは前記殼体により固定され、前記固定アームは前記押圧部近くの箇所に嵌入部を備えている。前記加圧部材は前記被圧部を押さえることができる押さえ部５１を備えている。上述の構造により、前記加圧部材が変位操作を受けて予め定められた方向に変位すると、固定アーム４２の嵌入部を前記フレキシブル回路板の凹嵌部に嵌入させ、前記フレキシブル回路板をコネクタに効果的に固定することができる。【選択図】図４
0003157057.tif 000002
【実用新案登録請求の範囲】
【請求項１】
コネクタであって、殼体、端子、加圧部材を含み、前記端子が相互に同じ方向に延伸され、かつ並べて設置された可動アームと固定アームを含み、そのうち、前記可動アームが一端に押圧部を備え、他端に被圧部を備えており、前記固定アームが前記殼体により固定され、前記固定アームが前記押圧部近くに嵌入部を備え、前記加圧部材が前記被圧部を押圧できる押さえ部を備え、前記加圧部材が変位操作を受けてあらかじめ定められた方向に変位すると、前記加圧部材の押さえ部が前記可動アームの被圧部を押さえ、前記可動アームを梃子のように角変位させ、さらに前記フレキシブル回路板３を下方向に変位させることができることを特徴とする、コネクタ。
【請求項２】
前記コネクタがフレキシブル回路板と電気的接続を形成することができ、前記フレキシブル回路板の両側に凹嵌部をそれぞれ形成したことを特徴とする、請求項１に記載のコネクタ。
【請求項３】
前記可動アームと前記固定アームが連接部により連接されて１つの部材を形成することを特徴とする、請求項１に記載のコネクタ。
【考案の詳細な説明】
【技術分野】
【０００１】
本考案はフレキシブル回路板の電気的接続に応用するコネクタに関し、特に、フレキシブル回路板を効果的に固定できるコネクタに関する。
【背景技術】
【０００２】
フレキシブル回路板に電気的接続の効果を達させるため、通常このようなフレキシブル回路板はコネクタに接続されるが、該コネクタは殼体、端子、加圧部材を含み、該コネクタの加圧部材に作用させるとき、該加圧部材が前記端子に作用して、該端子を前記フレキシブル回路板に押圧させることができる。
【０００３】
前記コネクタはすでに非常に周知の技術であるが、さらに一部業者は使用者がフレキシブル回路板を引っ張ってしまい、フレキシブル回路板の脱落を引き起こすといったことを回避できるコネクタを開発している。図１と図２に従来のコネクタの実施を示す断面図１と２をそれぞれ示す。これらの図からはっきりと分かるように、従来のコネクタ１は殼体１１、端子１２、加圧部材１３、フレキシブル回路板１４を含み、前記端子１２が同じ方向に延伸されて並べて設けられた固定アーム１２１と可動アーム１２２を含み、前記固定アーム１２１は前記殼体１１上に固定され、前記可動アーム１２２は一端に嵌入部１２３を備え、他端に被圧部１２４を備えており、且つ前記固定アーム１２１と前記可動アーム１２２は連接部１２５を利用して連接されて一体を成し、また前記加圧部材１３はカム１３１を備えており、前記フレキシブル回路板１４は両側に凹嵌部１４１がそれぞれ設置されている。
【０００４】
図２に示すように、フレキシブル回路板１４をコネクタ１に挿入するとき、前記加圧部材１３に施力して該加圧部材１３をあらかじめ定められた一方向に向かって変位させると、該加圧部材１３のカム１３１が上に向かって前記被圧部１２４を押し動かし、且つ前記可動アーム１２２が前記連接部１２５を支点として角変位し、前記加圧部材１３のカム１３１を前記可動アーム１２２の被圧部１２４に当接させて、効果的に前記可動アーム１２２の位置を規制して固定し、嵌入部１２３をフレキシブル回路板１４の凹嵌部１４１に嵌置させて固定することができ、これにより前記フレキシブル回路板１４が引っ張られても、前記嵌入部１２３が前記凹嵌部１４１内に嵌置されているため、フレキシブル回路板１４がコネクタ１から脱落することがない。
【０００５】
しかしながら、上述のコネクタ１は使用時に次のような問題と欠点があり、改善が必要である。
【０００６】
図１から分かるように、嵌入部１２３がコネクタ１の可動アーム１２２の一端に設置されているため、フレキシブル回路板１４を前記コネクタ１に挿入して接続したとき、嵌入部１２３が邪魔となりフレキシブル回路板１４を挿入しにくく、改良の必要がある。
【０００７】
このため、上述の従来の問題と欠点をいかに解決するかが、本考案の考案者と関連産業に従事する関連メーカーが改善を研究する方向性である。
【考案の概要】
【考案が解決しようとする課題】
【０００８】
本考案の考案者は上述の欠点に鑑みて、関連資料を収集し、多方面の評価と考慮を経て、関連産業において蓄積した長年の経験に基づき、試作と修正を重ね、ついにこのフレキシブル回路板を効果的に固定できるコネクタの実用新案の開発に至ったものである。
【０００９】
本考案の主な目的は、フレキシブル回路板をしっかりと固定できるコネクタを提供することにある。
【課題を解決するための手段】
【００１０】
上述の目的を達するため、本考案のコネクタは、殼体、フレキシブル回路板、端子、加圧部材を含む。そのうち、前記フレキシブル回路板は前記コネクタとの電気的接続に供することができ、前記フレキシブル回路板の両側に凹嵌部がそれぞれ形成される。前記端子は相互に同じ方向に延伸され、且つ並べて設置された可動アームと固定アームを備え、前記可動アームは一端に押圧部を備え、他端に被圧部を備えており、前記固定アームは前記殼体により固定され、前記固定アームの前記押圧部近くに嵌入部が設けられる。前記加圧部材は前記被圧部を押圧できる押さえ部を備えている。
【００１１】
本考案の固定アームは押圧部近くに嵌入部が設けられ、且つ前記フレキシブル回路板の両側に凹嵌部がそれぞれ形成されているため、前記加圧部材が変位操作を受けてあらかじめ定められた方向に変位すると、該加圧部材の押さえ部が前記可動アームの被圧部を押さえ、前記可動アームを梃子のように角変位させ、さらに前記フレキシブル回路板を下方向に変位させて、固定アームの嵌入部を前記フレキシブル回路板の凹嵌部に嵌入させることができる。
【考案の効果】
【００１２】
上述の構成により、前記コネクタと前記フレキシブル回路板の接続を完了した後、前記フレキシブル回路板は誤って触れても脱落しにくく、本考案はフレキシブル回路板のコネクタとの接続をより強固にすることができる。且つ、フレキシブル回路板を挿入して接続するとき、固定アームの嵌入部がフレキシブル回路板の挿入の邪魔にならず、実用性と進歩性を備えている。
【図面の簡単な説明】
【００１３】
【図１】従来のコネクタの実施を示す断面図１である。
【図２】従来のコネクタの実施を示す断面図２である。
【図３】本考案の最良の実施例の立体図である。
【図４】本考案の最良の実施例の断面図である。
【図５】本考案の最良の実施例の実施を示す断面図１である。
【図６】本考案の最良の実施例の実施を示す断面図２である。
【図７】本考案の最良の実施例の実施を示す断面図３である。
【図８】本考案の別の最良の実施例の実施を示す断面図である。
【図９】本考案のさらに別の最良の実施例の実施を示す断面図である。
【考案を実施するための形態】
【００１４】
上述の目的及び効果を達するため、本考案が採用する技術手段及び構造について、図面を参照し、本考案の最良の実施例に基づいてその特徴と機能を詳細に説明し、完全な理解を促す。
【００１５】
図３と図４に本考案の最良の実施例の立体図と断面図を示す。これらの図からはっきりと分かるように、本考案のコネクタ２は、殼体２１、フレキシブル回路板３、端子４、加圧部材５を含む。
【００１６】
前記フレキシブル回路板３は前記コネクタ２との電気的接続に供することができ、該フレキシブル回路板３の両側にそれぞれ凹嵌部３１が形成される。
【００１７】
記第１端子４は相互に同じ方向に延伸され、かつ並べて設置された可動アーム４１と固定アーム４２を備え、そのうち、前記可動アーム４１は一端に押圧部４１１を備え、他端に被圧部４１２を備えており、前記固定アーム４２は前記殼体２１により固定され、該固定アーム４２は前記押圧部４１１近くに嵌入部４２１を備え、前記可動アーム４１と前記固定アーム４２が連接部４３により１つの部材を形成する。
【００１８】
前記加圧部材５は前記被圧部４１２を押さえることができる押さえ部５１を備えている。
【００１９】
前記加圧部材５が変位操作を受けてあらかじめ定められた方向に変位すると、該加圧部材５の押さえ部５１が前記可動アーム４１の被圧部４１２を押さえ、連接部４３を支点として前記可動アーム４１を梃子のように角変位させ、さらに前記フレキシブル回路板３を下方向に変位させて、固定アームの嵌入部４２１を前記フレキシブル回路板３の凹嵌部３１に嵌入させることができる。
【００２０】
上述の構造、組み立て設計に基づき、本考案の使用作動状況を以下で説明する。同時に図５、図６、図７の本考案の最良の実施例の実施を示す断面図１、２、３を示す。これらの図からはっきりと分かるように、本考案のコネクタ２はフレキシブル回路板を電気的に接続するために用いることができ、フレキシブル回路板３の電気的接続を行うときは、前記フレキシブル回路板３前記殼体２１内に挿入し、前記フレキシブル回路板３を前記殼体２１に完全に挿入した後、前記加圧部材５を押し動かすと、前記加圧部材５が変位操作を受けてあらかじめ定められた方向に変位し、前記加圧部材５の押さえ部５１が前記可動アーム４１の被圧部４１２を押さえ、前記可動アーム４１が前記連接部４３を支点として梃子のように角変位し、前記押圧部が前記フレキシブル回路板３を押さえて電気的接続を形成し、同時に、前記フレキシブル回路板３が押圧部４１１の押圧により下方向に変位し、前記固定アームの嵌入部４２１を前記フレキシブル回路板３の凹嵌部３１に嵌入させることができる。
【００２１】
上述の構成により、固定アームの嵌入部４２１がフレキシブル回路板３両側の凹嵌部３１に嵌入された後、使用者がうっかり前記フレキシブル回路板３を引っ張ってしまっても、コネクタ２は前記嵌入部４２１が前記凹嵌部３１に効果的に嵌合固定されていることにより、前記フレキシブル回路板３をコネクタ２に効果的に固定でき、このため本考案は実用性と進歩性を備えている。
【００２２】
同時に図８に本考案の別の実施例の実施を示す断面図、図９に本考案のさらに別の実施例の実施を示す断面図をそれぞれ示す。これらの図からはっきりと分かるように、本考案のコネクタ２は図に示す各種端子４の態様としてもよく、これらも同様に上述の実施例の効果を備えている。
【００２３】
全部の図に示すように、本考案の使用時には、従来の技術と比較して、次のような利点が確実に存在する。本考案は固定アーム４２が前記可動アーム４１の押圧部４１１近くに嵌入部４２１を備えており、前記フレキシブル回路板３の両側に凹嵌部３１がそれぞれ形成されているため、前記加圧部材５が変位操作を受けてあらかじめ定められた方向に変位したとき、前記加圧部材５の押さえ部５１が前記可動アーム４１の被圧部４１２を押さえ、前記可動アーム４１が前記連接部４３を支点として梃子のように角変位し、前記フレキシブル回路板３が下方向に変位して、前記固定アームの嵌入部４２１を前記フレキシブル回路板３の凹嵌部３１に嵌入させることができる。これにより、フレキシブル回路板３がよりしっかりとコネクタ２に固定される。且つ、フレキシブル回路板３を挿入するとき、固定アーム４２の嵌入部４２１がフレキシブル回路板３の挿入を阻むことがないため、実用性と進歩性を備えている。
【００２４】
以上の説明は本考案の最良の実施例であり、本考案の特許範囲を限定することはなく、本考案の明細書及び図面の内容を運用した簡易な修飾及び同等効果を持つ構造変化はすべて本考案の特許範囲内に含まれる。
【００２５】
上述をまとめると、本考案のコネクタは使用時に確実にその効果と目的を達することができるため、本考案は実用性に優れた創作であり、実用新案登録出願の要件を満たしているため、法に基づきここに出願を提出するものである。
【符号の説明】
【００２６】
１        コネクタ
１１      殼体
１２      端子
１２１    固定アーム
１２２    可動アーム
１２３    嵌入部
１２４    被圧部
１２５    連接部
１３      加圧部材
１３１    カム
１４      フレキシブル回路板
１４１    凹嵌部
２        コネクタ
２１      殼体
３        フレキシブル回路板
３１      凹嵌部
４        端子
４１      可動アーム
４１１    押圧部
４１２    被圧部
４２      固定アーム
４２１    嵌入部
４３      連接部
５        加圧部材
５１      押さえ部
【図１】
0003157057.tif 000003
【図２】
0003157057.tif 000004
【図３】
0003157057.tif 000005
【図４】
0003157057.tif 000006
【図５】
0003157057.tif 000007
【図６】
0003157057.tif 000008
【図７】
0003157057.tif 000009
【図８】
0003157057.tif 000010
【図９】
0003157057.tif 000011